(57)【要約】【課題】軟質樹脂容器の再利用を容易にする軟質樹脂容器用蓋体の提供を目的とする。【解決手段】容器開口部を密閉する蓋体であって、容器開口部挟持部材と、密閉部材とからなり、容器開口部挟持部材は、内周壁と、外周壁とを屈曲部で連結してあるとともに、内周壁の内周部には雌ねじ部を有し、密閉部材は、蓋部と、雄ねじ部とを有し、容器開口部挟持部材の内周壁と、外周壁との間に容器開口部の開口周囲片を差し込んだ状態で、容器開口部挟持部材の雌ねじ部に密閉部材を螺合することで容器開口部を密閉することができるものであることを特徴とする。【選択図】  図１
0003122065.tif 000002
【実用新案登録請求の範囲】
【請求項１】
容器開口部を密閉する蓋体であって、
容器開口部挟持部材と、密閉部材とからなり、
容器開口部挟持部材は、内周壁と、外周壁とを屈曲部で連結してあるとともに、内周壁の内周部には雌ねじ部を有し、
密閉部材は、蓋部と、雄ねじ部とを有し、
容器開口部挟持部材の内周壁と、外周壁との間に容器開口部の開口周囲片を差し込んだ状態で、容器開口部挟持部材の雌ねじ部に密閉部材を螺合することで容器開口部を密閉することができるものであることを特徴とする軟質樹脂容器用蓋体。
【請求項２】
容器開口部挟持部材の内周壁は、先端に向けて形成した切り込み部を有していることを特徴とする請求項１に記載の軟質樹脂容器用蓋体。
【請求項３】
容器開口部挟持部材の内周壁又は外周壁のうち少なくともどちらか一方に、相手側に突出した押圧部を設けてあることを特徴とする請求項１又は２に記載の軟質樹脂容器用蓋体。
【請求項４】
容器開口部挟持部材の内周壁の屈曲部からの長さが、外周壁の屈曲部からの長さよりも長いことを特徴とする請求項１〜３のいずれかに記載の軟質樹脂容器用蓋体。
【請求項５】
容器開口部挟持部材の雌ねじ部と、密閉部材の雄ねじ部とのうち、少なくとも一方の螺合先端部にねじ谷径と同等か、それより小さい外径又はそれより大きい内径の位置合わせ部を設けてあることを特徴とする請求項１〜４のいずれかに記載の軟質樹脂容器用蓋体。
【考案の詳細な説明】
【技術分野】
【０００１】
本考案は、可撓性を有する軟質樹脂容器の開口部又は一部を切断して形成した開口部を密閉することができる蓋体に関し、軟質樹脂容器の再利用に効果的である。
【背景技術】
【０００２】
図４に示すような市販されているマヨネーズ等の軟質樹脂容器４０は可撓性を有しており、押潰しても元に復元する性質があることから内容物を必要量だけ押潰し等により手軽に絞り出すことができるので、市販内容物を使い切った後に味噌等の調味料を充填して利用することも考えられる。
また、この種の軟質樹脂容器４０は一回の使い捨てにするには比較的高価であり、省資源及び廃棄物低減の観点からも再利用が望ましい。
しかし、内容物を使い切った軟質樹脂容器４０に自家製調味料等の内容物を詰め替え充填するには、絞出口の開口が小さいことにより手間がかかる問題がある。
また、内容物を詰め替え充填するために軟質樹脂容器４０の一部を切断して広口の開口部を設けると、軟質樹脂には可撓性と、厚みとがあるために輪ゴム等では密閉できないため容器の再利用が難しくなる。
【０００３】
特許文献１には、絞出口と、広口開口部である注入口とを備えた軟質樹脂容器を開示するが、当初から再利用を目的とした容器としての利便性はあるものの、一般的に市販されている容器の再利用には適用できないものである。
【特許文献１】実案登録第３１０１５２９号
【考案の開示】
【考案が解決しようとする課題】
【０００４】
本考案は上記技術的課題に鑑みて、軟質樹脂容器の再利用を容易にする軟質樹脂容器用蓋体の提供を目的とする。
【課題を解決するための手段】
【０００５】
請求項１記載に係る考案は、容器開口部を密閉する蓋体であって、容器開口部挟持部材と、密閉部材とからなり、容器開口部挟持部材は、内周壁と、外周壁とを屈曲部で連結してあるとともに、内周壁の内周部には雌ねじ部を有し、密閉部材は、蓋部と、雄ねじ部とを有し、容器開口部挟持部材の内周壁と、外周壁との間に容器開口部の開口周囲片を差し込んだ状態で、容器開口部挟持部材の雌ねじ部に密閉部材を螺合することで容器開口部を密閉することができるものであることを特徴とする。
【０００６】
本考案に係る蓋体の使用対象となる容器は、可撓性のある軟質樹脂容器である。
ここで容器開口部とは、開口周囲片を有しているか、あるいは容器の一部を切断することで開口周囲片を有するように形成した容器の開口部をいう。
また開口周囲片とは、例えば市販マヨネーズ容器の底部付近を底面に略平行な横方向に切断すると形成できる軟質樹脂容器の側壁肉厚のままの厚みからなる開口部を意味する。
従って、ねじ蓋や嵌合蓋等を用いて密閉するための厚肉部を有していない開口部をいう。
このような開口周囲片であれば、例えば市販マヨネーズ容器のように底部付近を横方向に切断すると自然体では略長方形の開口部を形成するものであっても可撓性を有していることから、本考案に係る容器開口部挟持部材の内周壁と、外周壁とで形成する略リング状の溝形状になじむ。
【０００７】
請求項２記載に係る考案は、容器開口部挟持部材の内周壁は、先端に向けて形成した切り込み部を有していることを特徴とする。
容器開口部挟持部材の内周壁と、外周壁との間に容器開口部の開口周囲片を差し込み、内周壁に形成した雌ねじ部に密閉部材の雄ねじ部を螺合すると、内周壁は屈曲部を曲げ支点にして雄ねじ部によって外側に広がるように立ち上がるが、内周壁に先端部に向けて形成した切り込み部を設けたことにより内周壁の先端が外側に広がりやすくなる。
なお、切り込み形状や切り込み本数は必要に応じて設定できる。
【０００８】
請求項３記載に係る考案は、容器開口部挟持部材の内周壁又は外周壁のうち少なくともどちらか一方に、相手側に突出した押圧部を設けてあることを特徴とする。
内周壁と、外周壁とで容器開口部の開口周囲片を挟み込む際に、内周壁又は外周壁の少なくともどちらか一方に相手側に突出した押圧部を形成してあると、この押圧部が容器の開口周囲片を強く押圧するので容器開口部挟持部材と、容器の開口周囲片との間のシール性が強くなる。
【０００９】
請求項４記載に係る考案は、容器開口部挟持部材の内周壁の屈曲部からの長さが、外周壁の屈曲部からの長さよりも長いことを特徴とする。
本考案においては、例えば市販マヨネーズの軟質樹脂容器の底部付近を切り取って、その開口部の全周を内周壁と、外周壁との間に差し込むことになるが、この際に請求項４記載の考案のように屈曲部からの長さにおいて内周壁の方が長いと差し込みやすい。
【００１０】
請求項５記載に係る考案は、容器開口部挟持部材の雌ねじ部と、密閉部材の雄ねじ部とのうち、少なくとも一方の螺合先端部にねじ谷径と同等か、それより小さい外径又はそれより大きい内径の位置合わせ部を設けてあることを特徴とする。
軟質樹脂容器は変形しやすいので、容器開口部挟持部材を固定しずらいことも想定されるが、請求項５記載の考案によると、雌ねじ部と、雄ねじ部との歯合わせが容易である。
【考案の効果】
【００１１】
請求項１記載の考案における軟質樹脂容器用蓋体においては、蓋体の構造を容器開口部挟持部材と、密閉部材とに分離したことにより、一般に市販されている各種軟質樹脂容器充填商品を買い求め、内容物を使い切った後で容器の一部を切り取ることで広口の開口部を形成し、この開口周囲片を容器開口部挟持部材の内周壁と、外周壁との間に差し込むだけで容器に雌ねじ部を形成することができるとともに、内周壁に形成した雌ねじ部に密閉部材の雄ねじ部を螺合するだけで容器の開口部を密閉部材の蓋部で塞ぎ、かつ、雄ねじ部が屈曲部を支点にして内周壁を外周壁側に押し広げるので、容器の開口周囲片が蓋体と密着シールされる。
よって、一般に市販されている軟質樹脂容器充填食品を使い切った後で容器の一部を切り欠くのみで調味料等を詰め替えやすい広口開口部を形成するとともに、本考案の蓋体で簡単に密閉できるので容器の再利用に大きく貢献できる。
【００１２】
請求項２記載に係る蓋体にあっては、内周壁と、外周壁とを屈曲部で連結してある内周壁の先端部に向けて形成した切り込み部を設けたことにより、内周壁が外周壁側に向けて広がりやすくなるので雄ねじが螺合しやすくシール性が高くなる。
【００１３】
請求項３記載に係る蓋体にあっては、内周壁と、外周壁とのうち少なくともどちらか一方に相手側に突出する押圧部を設けたことによりシール圧が高くなる。
【００１４】
請求項４記載に係る蓋体にあっては、外周壁の内側に位置する内周壁の方が長いので容器の開口部を差し込みやすくなる。
【００１５】
請求項５記載に係る蓋体にあっては、雌ねじ部と、雄ねじ部とのうち少なくとも一方の螺合先端部にねじ谷径と同等か、それよりも小さい外径又はそれより大きい内径の位置合わせ部を設けたので、位置合わせ部の深さだけ簡単に雄ねじ側を挿入できるのでそのまま回転することで螺合できるようになり、歯位置合わせが容易になる。
【考案を実施するための最良の形態】
【００１６】
本考案に係る軟質樹脂容器用蓋体１０（以下、単に蓋体と称する）の例を以下図面に基づいて説明する。
図１に蓋体１０の分離断面斜視図を示す。
分離断面斜視は、平面視で中心角４５度切除した断面を示す。
蓋体１０は、リング状の容器開口部挟持部材２０（以下、単に挟持部材と称する）と、挟持部材２０の内周壁２１に螺合してその開口部を密閉する密閉部材３０とからなる。
挟持部材２０は、内周壁２１と、外周壁２２とを屈曲部２３で連結してある。
内周壁２１は、内周部に雌ねじ部２１ａを有するとともに、雌ねじ部２１ａの螺合方向先端部側には雌ねじを形成しない少なくともねじ谷径同等以上の内径からなる雌ねじ部側位置合わせ部２１ｂを有する。
内周壁２１は、切り込み部２１ｃを有する。
内周壁２１は、屈曲部２３からの長さＨ２が外周壁２２のその長さＨ１よりも長くなっている。
外周壁２２は、内周壁２１側に突出したリング状の押圧部２２ａを有する。
密閉部材３０は、蓋部３１と、雄ねじ部３１ａとを有する。
【００１７】
本実施例では、内周壁２１と、外周壁２２との連結断面形状が略Ｖ字型の挟持部材２０を示すが、断面形状は本実施例に限定しない。
また、内周壁２１は屈曲部２３にて立ち上がれば良く、挟持部材２０の材質等は限定しないが、雄ねじ部３１ａの螺合で広がりやすく、シール性が高い樹脂が望ましい。
図１には図示してない断面切除部を含めて内周壁２１は切り込み部２１ｃを４つ有する例を示すが、切り込み部２１ｃの数は本実施例に限定されない。
外周壁２２の内周壁２１側先端部において断面のこ歯状の押圧部２２ａをリング状に有する例を示すが、押圧部２２ａの形状及び位置等は本実施例に限定されない。
【００１８】
図２に底部付近を切断した既存の軟質樹脂容器４０における容器開口部４１を蓋体１０で密閉する断面図を示し、（ａ）は密閉前状態を示し、（ｂ）は密閉状態を示す。
ここでの断面図は図１に示すａ−ａ線断面図である。
ここでは１点鎖線を破断線とし、軟質樹脂容器４０の上部は図示してない。
図示しないが軟質樹脂容器４０は押潰しにて内容物を絞り出せる程度の可撓性を有している。
図２（ａ）に密閉前状態断面図を示すように、挟持部材２０の内周壁２１と、外周壁２２との間に容器開口部４１の開口周囲片４２を差し込む。
挟持部材２０と、密閉部材３０とを螺合するために、雌ねじ部側位置合わせ部２１ｂで位置を合わせる。
挟持部材２０と、密閉部材３０とを螺合することで、切り込み部２１ｃを有する内周壁２１は屈曲部２３にて容易に立ち上がる。
図２（ｂ）に密閉状態断面図を示すように、挟持部材２０と、密閉部材３０とを螺合することで、屈曲部２３にて立ち上がる内周壁２１と、外周壁２２とで容器開口部４１の開口周囲片４２を挟持するとともに、容器開口部４１を蓋部３１にて密閉できる。
押圧部２２ａの押圧力にて開口周囲片４２の挟持を強固にする。
ここでは、押圧部２２ａが開口周囲片４２とともに内周壁２１に食い込む例を示すが、押圧部２２ａの押圧力により挟持を強固に保持できれば良い。
【００１９】
図３に再利用軟質樹脂容器５０の断面図を示すように、下底部を切断した既存の軟質樹脂容器４０に蓋体１０を備えることにより、自家製調味料等の内容物６０を容器開口部４１から容易に詰め替え充填できるうえに、容易に密閉保管することができる。
よって蓋体１０を備えることにより、既存の軟質樹脂容器４０を容易に再利用できる。
ここで一点鎖線から上部は、正面図を示す。
図示しないが、再利用軟質樹脂容器５０を使う際には、絞出口に取り付けたキャップ４３を外して内容物６０を既存の絞出口から押潰し等により手軽に絞り出すことができる。
【図面の簡単な説明】
【００２０】
【図１】蓋体の分離断面斜視図を示す。
【図２】容器開口部を蓋体で密閉する断面図を示す。
【図３】再利用軟質樹脂容器の断面図を示す。
【図４】従来から市販されているマヨネーズ等の軟質樹脂容器の正面図示す。
【符号の説明】
【００２１】
１０    軟質樹脂容器用蓋体
２０    容器開口部挟持部材
２１    内周壁
２１ａ  雌ねじ部
２１ｂ  雌ねじ部側位置合わせ部
２１ｃ  切り込み部
２２    外周壁
２２ａ  押圧部
２３    屈曲部
３０    密閉部材
３１    蓋部
３１ａ  雄ねじ部
４０    軟質樹脂容器
４１    容器開口部
４２    開口周囲片
４３    キャップ
５０    再利用軟質樹脂容器
６０    内容物
Ｈ１    外周壁長さ
Ｈ２    内周壁長さ
【図１】
0003122065.tif 000003
【図２】
0003122065.tif 000004
【図３】
0003122065.tif 000005
【図４】
0003122065.tif 000006